(57)【要約】【課題】全体が優れた止水構造のグラウンドアンカーを提供する。【解決手段】アンカープレートの裏面にアンカーケーブル挿通用の突出管を突設し、同突出管内に背面シースを摺動可能に嵌挿し、かつ同突出管内壁面に環状溝を嵌設し、同環状溝に可撓性Ｏリングを嵌装して水密構造となし、また、引張鋼線のプラスチックシース端部に無シース部の引張鋼線挿通孔を蓋部に有する有蓋筒状のプラスチックシース端部用キャップを冠着し、さらに止水ゴム盤を介装し、その表面に引張鋼線挿通孔を蓋部に有する有蓋筒状の結束用キャップを積層・被装し、さらにまた結束用キャップとプラスチックシース端部用キャップの露出部及びプラスチックシース端部露出部を熱収縮性被膜で一体的に加熱収縮被覆する。【選択図】  図１
2005139792.tif 000002
【特許請求の範囲】
【請求項１】
地盤に掘削したアンカー孔の中に複数本の引張鋼線を挿入し、同孔中にグラウト材を注入して定着する一方、引張鋼線の上部は緊張され地盤表面側に設置されたアンカープレート上のアンカーヘッド孔中のクサビにより掴持されるグラウンドアンカーにおいて、
（１）グラウンドアンカー受圧部のアンカープレートと背面シースの止水取付構造が、アンカープレートの裏面にアンカーケーブル挿通用の突出管を突設し、同突出管内に背面シースを摺動可能に嵌挿し、かつ同突出管内壁面に環状溝を嵌設し、同環状溝に可撓性Ｏリングを嵌装して水密構造となされ、また、
（２）グラウンドアンカー孔中における引張鋼線のプラスチックシース部と無シース部との境界付近の止水構造が、引張鋼線のプラスチックシース端部に無シース部の引張鋼線挿通孔を蓋部に有する有蓋筒状のプラスチックシース端部用キャップを冠着し、また同キャップの蓋部表面に円盤状止水ゴム盤を引張鋼線を挿通させて積層し、さらに前記止水ゴム盤と同形状の剛性の押さえ盤を引張鋼線を挿通させて積層し、さらにまたその押さえ盤の表面に引張鋼線挿通孔を蓋部に有する有蓋筒状の結束用キャップを積層・被装し、かつプラスチックシース端部用キャップと結束用キャップは螺合によって圧接結合されるようになし、そしてまた結束用キャップとプラスチックシース端部用キャップの露出部及びプラスチックシース端部露出部を熱収縮性被膜で一体的に加熱収縮被覆してなされることを特徴とするグラウンドアンカーの止水構造。
【請求項２】
地盤に掘削したアンカー孔の中に複数本の引張鋼線を挿入し、同孔中にグラウト材を注入して定着する一方、引張鋼線の上部は緊張され地盤表面側に設置されたアンカープレート上のアンカーヘッド孔中のクサビにより掴持されるグラウンドアンカーにおいて、
（１）アンカープレートの円形開口部の環状内周面に環状溝を設け、同溝に可撓性Ｏリングを嵌装すると共に、同環状溝に伸縮性蛇腹管よりなる背面シースの後部を摺動させて嵌挿する一方、蛇腹管の前部を引張鋼線のプラスチックシースの後部に密着せしめて、アンカープレートとプラスチックシースとを水密性を確保して伸縮自在に連結してなり、また、
（２）グラウンドアンカー孔中における引張鋼線のプラスチックシース部と無シース部との境界付近の止水構造が、引張鋼線のプラスチックシース端部に無シース部の引張鋼線挿通孔を蓋部に有する有蓋筒状のプラスチックシース端部用キャップを冠着し、また同キャップの蓋部表面に円盤状止水ゴム盤を引張鋼線を挿通させて積層し、さらに前記止水ゴム盤と同形状の剛性の押さえ盤を引張鋼線を挿通させて積層し、さらにまたその押さえ盤の表面に引張鋼線挿通孔を蓋部に有する有蓋筒状の結束用キャップを積層・被装し、かつプラスチックシース端部用キャップと結束用キャップは螺合によって圧接結合されるようになし、そしてまた結束用キャップとプラスチックシース端部用キャップの露出部及びプラスチックシース端部露出部を熱収縮性被膜で一体的に加熱収縮被覆してなされることを特徴とするグラウンドアンカーの止水構造。
【請求項３】
地盤に掘削したアンカー孔の中に複数本の引張鋼線を挿入し、同孔中にグラウト材を注入して定着する一方、引張鋼線の上部は緊張され地盤表面側に設置されたアンカープレート上のアンカーヘッド孔中のクサビにより掴持されるグラウンドアンカーにおいて、
グラウンドアンカー受圧部のアンカープレートと背面シースの止水取付構造が、アンカープレートの裏面にアンカーケーブル挿通用の突出管を突設し、同突出管内に背面シースを摺動可能に嵌挿し、かつ同突出管内壁面に環状溝を嵌設し、同環状溝に可撓性Ｏリングを嵌装して水密構造となされてなることを特徴とするグラウンドアンカーの止水構造。
【請求項４】
地盤に掘削したアンカー孔の中に複数本の引張鋼線を挿入し、同孔中にグラウト材を注入して定着する一方、引張鋼線の上部は緊張され地盤表面側に設置されたアンカープレート上のアンカーヘッド孔中のクサビにより掴持されるグラウンドアンカーにおいて、
アンカープレートの円形開口部の環状内周面に環状溝を設け、同溝に可撓性Ｏリングを嵌装すると共に、同環状溝に伸縮性蛇腹管よりなる背面シースの後部を摺動させて嵌挿する一方、蛇腹管の前部を引張鋼線のプラスチックシースの後部に密着せしめて、アンカープレートとプラスチックシースとを水密性を確保して伸縮自在に連結してなることを特徴とするグラウンドアンカーの止水構造。
【請求項５】
地盤に掘削したアンカー孔の中に複数本の引張鋼線を挿入し、同孔中にグラウト材を注入して定着する一方、引張鋼線の上部は緊張され地盤表面側に設置されたアンカープレート上のアンカーヘッド孔中のクサビにより掴持されるグラウンドアンカーにおいて、
グラウンドアンカー孔中における引張鋼線のプラスチックシース部と無シース部との境界付近の止水構造が、引張鋼線のプラスチックシース端部に無シース部の引張鋼線挿通孔を蓋部に有する有蓋筒状のプラスチックシース端部用キャップを冠着し、また同キャップの蓋部表面に円盤状止水ゴム盤を引張鋼線を挿通させて積層し、さらに前記止水ゴム盤と同形状の剛性の押さえ盤を引張鋼線を挿通させて積層し、さらにまたその押さえ盤の表面に引張鋼線挿通孔を蓋部に有する有蓋筒状の結束用キャップを積層・被装し、かつプラスチックシース端部用キャップと結束用キャップは螺合によって圧接結合されるようになし、そしてまた結束用キャップとプラスチックシース端部用キャップの露出部及びプラスチックシース端部露出部を熱収縮性被膜で一体的に加熱収縮被覆してなされることを特徴とするグラウンドアンカーの止水構造。
【請求項６】
引張鋼線のプラスチックシースが高密度ポリエチレン製のものであることを特徴とする請求項１、２、４又は５のいずれか１項に記載のグラウンドアンカーの止水構造。
【請求項７】
突出管内壁面の環状溝が複数個嵌設され、同環状溝にシリコンゴム製の可撓性Ｏリングが嵌装されてなることを特徴とする請求項１、３又は６のいずれか１項記載のグラウンドアンカーの止水構造。
【請求項８】
アンカープレートの円形開口部の環状内周面に削成された環状溝にシリコンゴム製の可撓性Ｏリングを嵌装してなることを特徴とする請求項２、４又は７のいずれか１項に記載のグラウンドアンカーの止水構造。
【請求項９】
熱収縮性被膜が、熱収縮性プラスチック管の加熱により生成されたものであることを特徴とする請求項１、２、５、６〜８のいずれか１項に記載の止水構造。
【請求項１０】
熱収縮性被膜が、熱収縮性プラスチックテープの加熱により生成されたものであることを特徴とする請求項１、２、５、６〜８のいずれか１項に記載の止水構造。
【請求項１１】
熱収縮性被膜の内面に熱可塑性接着剤又は熱硬化性接着剤が貼設されてなることを特徴とする請求項１、２、５、６〜１０のいずれか１項に記載の止水構造。
【発明の詳細な説明】
【技術分野】
【０００１】
本願発明は、地上の構造物を固定するために使用されるグラウンドアンカーに関するものであり、特に複数本の引張鋼線を地上構造物の上でアンカーヘッドに定着して構造物等を固定するために使用されるグラウンドアンカーの止水構造に関するものである。
【背景技術】
【０００２】
従来のグラウンドアンカーの構造は、次のようなものが一般的であった。
ＰＣ鋼より線などを引張鋼線として使用し、複数本のこれら引張鋼線を束ね、これを地形に掘削したアンカー孔の中に挿入し、次いで同孔の中にグラウト材を注入して定着するものである。
このようなグラウンドアンカーの引張鋼線を地上構造物の上に定着するには、地上構造物の上に支圧板とアンカーヘッドを置き、アンボンドシースを切除した引張鋼線の先端部分をアンカーヘッドの孔の中に通してクサビによって掴み、定着するものである。また、アンボンドシースを切除して剥き出しにした部分を保護するため、保護キャップの中に防錆油を充満して侵入した水が引張鋼線に触れぬようにしている。また、支圧板やアンカーヘッドやクサビ等を防錆する方法も各種提案されている。
【特許文献１】特開平８−２６０６２０号公報
【発明の開示】
【発明が解決しようとする課題】
【０００３】
しかしながら、支圧板やアンカーヘッドやクサビ等を完全に防錆することが困難であり、その構成も複雑でコスト高となる。また、防錆オイルの漏出も完全に阻止できず、防錆油の充填量管理が問題となっていた。
【課題を解決するための手段】
【０００４】
本発明者は、上記従来技術の課題を解決して優れた止水構造のグラウンドアンカーを提供するもので、下記構成のグラウンドアンカーの止水構造である。
[１]  地盤に掘削したアンカー孔の中に複数本の引張鋼線を挿入し、同孔中にグラウト材を注入して定着する一方、引張鋼線の上部は緊張され地盤表面側に設置されたアンカープレート上のアンカーヘッド孔中のクサビにより掴持されるグラウンドアンカーにおいて、
（１）グラウンドアンカー受圧部のアンカープレートと背面シースの止水取付構造が、アンカープレートの裏面にアンカーケーブル挿通用の突出管を突設し、同突出管内に背面シースを摺動可能に嵌挿し、かつ同突出管内壁面に環状溝を嵌設し、同環状溝に可撓性Ｏリングを嵌装して水密構造となされ、また、
（２）グラウンドアンカー孔中における引張鋼線のプラスチックシース部と無シース部との境界付近の止水構造が、引張鋼線のプラスチックシース端部に無シース部の引張鋼線挿通孔を蓋部に有する有蓋筒状のプラスチックシース端部用キャップを冠着し、また同キャップの蓋部表面に円盤状止水ゴム盤を引張鋼線を挿通させて積層し、さらに前記止水ゴム盤と同形状の剛性の押さえ盤を引張鋼線を挿通させて積層し、さらにまたその押さえ盤の表面に引張鋼線挿通孔を蓋部に有する有蓋筒状の結束用キャップを積層・被装し、かつプラスチックシース端部用キャップと結束用キャップは螺合によって圧接結合されるようになし、そしてまた結束用キャップとプラスチックシース端部用キャップの露出部及びプラスチックシース端部露出部を熱収縮性被膜で一体的に加熱収縮被覆してなされることを特徴とするグラウンドアンカーの止水構造。
【０００５】
[２]  地盤に掘削したアンカー孔の中に複数本の引張鋼線を挿入し、同孔中にグラウト材を注入して定着する一方、引張鋼線の上部は緊張され地盤表面側に設置されたアンカープレート上のアンカーヘッド孔中のクサビにより掴持されるグラウンドアンカーにおいて、
（１）アンカープレートの円形開口部の環状内周面に環状溝を設け、同溝に可撓性Ｏリングを嵌装すると共に、同環状溝に伸縮性蛇腹管よりなる背面シースの後部を摺動させて嵌挿する一方、蛇腹管の前部を引張鋼線のプラスチックシースの後部に密着せしめて、アンカープレートとプラスチックシースとを水密性を確保して伸縮自在に連結してなり、また、
（２）グラウンドアンカー孔中における引張鋼線のプラスチックシース部と無シース部との境界付近の止水構造が、引張鋼線のプラスチックシース端部に無シース部の引張鋼線挿通孔を蓋部に有する有蓋筒状のプラスチックシース端部用キャップを冠着し、また同キャップの蓋部表面に円盤状止水ゴム盤を引張鋼線を挿通させて積層し、さらに前記止水ゴム盤と同形状の剛性の押さえ盤を引張鋼線を挿通させて積層し、さらにまたその押さえ盤の表面に引張鋼線挿通孔を蓋部に有する有蓋筒状の結束用キャップを積層・被装し、かつプラスチックシース端部用キャップと結束用キャップは螺合によって圧接結合されるようになし、そしてまた結束用キャップとプラスチックシース端部用キャップの露出部及びプラスチックシース端部露出部を熱収縮性被膜で一体的に加熱収縮被覆してなされることを特徴とするグラウンドアンカーの止水構造。
【０００６】
[３]  地盤に掘削したアンカー孔の中に複数本の引張鋼線を挿入し、同孔中にグラウト材を注入して定着する一方、引張鋼線の上部は緊張され地盤表面側に設置されたアンカープレート上のアンカーヘッド孔中のクサビにより掴持されるグラウンドアンカーにおいて、
グラウンドアンカー受圧部のアンカープレートと背面シースの止水取付構造が、アンカープレートの裏面にアンカーケーブル挿通用の突出管を突設し、同突出管内に背面シースを摺動可能に嵌挿し、かつ同突出管内壁面に環状溝を嵌設し、同環状溝に可撓性Ｏリングを嵌装して水密構造となされてなることを特徴とするグラウンドアンカーの止水構造。
[４]  地盤に掘削したアンカー孔の中に複数本の引張鋼線を挿入し、同孔中にグラウト材を注入して定着する一方、引張鋼線の上部は緊張され地盤表面側に設置されたアンカープレート上のアンカーヘッド孔中のクサビにより掴持されるグラウンドアンカーにおいて、
アンカープレートの円形開口部の環状内周面に環状溝を設け、同溝に可撓性Ｏリングを嵌装すると共に、同環状溝に伸縮性蛇腹管よりなる背面シースの後部を摺動させて嵌挿する一方、蛇腹管の前部を引張鋼線のプラスチックシースの後部に密着せしめて、アンカープレートとプラスチックシースとを水密性を確保して伸縮自在に連結してなることを特徴とするグラウンドアンカーの止水構造。
【０００７】
[５]  地盤に掘削したアンカー孔の中に複数本の引張鋼線を挿入し、同孔中にグラウト材を注入して定着する一方、引張鋼線の上部は緊張され地盤表面側に設置されたアンカープレート上のアンカーヘッド孔中のクサビにより掴持されるグラウンドアンカーにおいて、
グラウンドアンカー孔中における引張鋼線のプラスチックシース部と無シース部との境界付近の止水構造が、引張鋼線のプラスチックシース端部に無シース部の引張鋼線挿通孔を蓋部に有する有蓋筒状のプラスチックシース端部用キャップを冠着し、また同キャップの蓋部表面に円盤状止水ゴム盤を引張鋼線を挿通させて積層し、さらに前記止水ゴム盤と同形状の剛性の押さえ盤を引張鋼線を挿通させて積層し、さらにまたその押さえ盤の表面に引張鋼線挿通孔を蓋部に有する有蓋筒状の結束用キャップを積層・被装し、かつプラスチックシース端部用キャップと結束用キャップは螺合によって圧接結合されるようになし、そしてまた結束用キャップとプラスチックシース端部用キャップの露出部及びプラスチックシース端部露出部を熱収縮性被膜で一体的に加熱収縮被覆してなされることを特徴とするグラウンドアンカーの止水構造。
[６]  引張鋼線のプラスチックシースが高密度ポリエチレン製のものであることを特徴とする前項[１]、[２]、[４]又は[５]のいずれか１項に記載のグラウンドアンカーの止水構造。
[７]  突出管内壁面の環状溝が複数個嵌設され、同環状溝にシリコンゴム製の可撓性Ｏリングが嵌装されてなることを特徴とする前項[１]、[３]又は[６]のいずれか１項記載のグラウンドアンカーの止水構造。
[８]  アンカープレートの円形開口部の環状内周面に削成された環状溝にシリコンゴム製の可撓性Ｏリングを嵌装してなることを特徴とする前項[２]、[４]又は[７]のいずれか１項に記載のグラウンドアンカーの止水構造。
[９]  熱収縮性被膜が、熱収縮性プラスチック管の加熱により生成されたものであることを特徴とする前項[１]、[２]、[５]、[６]〜[８]のいずれか１項に記載の止水構造。
[１０]  熱収縮性被膜が、熱収縮性プラスチックテープの加熱により生成されたものであることを特徴とする前項[１]、[２]、[５]、[６]〜[８]のいずれか１項に記載の止水構造。
[１１]  熱収縮性被膜の内面に熱可塑性接着剤又は熱硬化性接着剤が貼設されてなることを特徴とする前項[１]、[２]、[５]、[６]〜[１０]のいずれか１項に記載の止水構造。
【発明の効果】
【０００８】
本発明によれば、グラウンドアンカー施工時において、引張鋼線を緊張してアンカーヘッド側へ伸長させた場合に、引張鋼線及びプラスチックシース部が撓んでしまうことが回避され、かつ止水が完全に確保でき、また該止水構造の部品構成は簡単なため、製作コストも低い。
【発明を実施するための最良の形態】
【０００９】
本発明の実施の形態を実施例の図によって説明する。
図１は本発明の第１実施例のグラウンドアンカーの略全体の構造を示す断面図、図２は本発明の第２実施例のグラウンドアンカーの略全体の構造を示す断面図、図３は本発明の第１実施例の要部（１）の止水構造を示す断面図、図４は本発明の第２実施例の要部（２）の止水構造を示す断面図、図５は本発明の第１実施例の要部（３）の止水構造を示す断面図である。
【実施例１】
【００１０】
グラウンドアンカーの全体構成は図１に示すごとく、地盤Ｇに穿孔７が穿設され、また地表近くに受圧板８が載置され、受圧板８には穿孔７に合わせて貫通孔８１が設けられている。
そして、穿孔７、貫通孔８１中には、引張鋼線３が挿設され、途中プラスチックシース９部と樹脂無被覆部の境界部には止水構造部１０が形成され、プラスチックシース９の途中にはスペーサ１７が周設され、また、アンカープレート１側にはアンカーヘッド１１、ナット１２、クサビ１３を囲うようにして保護キャップ１４がアンカープレート１に取り付けられている。
なお、保護キャップ１４中、背面シース２中及び突出管４中には防錆油１５が充填されており、穿孔７及びアンカープレート１の貫通孔８１内にはグラウト１６が充填されている。
図１において、１はアンカープレート、２は背面シース、３は引張鋼線、４は突出管、５は環状溝、６は可撓性Ｏリングである。
【００１１】
図３は本発明の第１実施例の要部（１）（受圧部）の止水構造を示す断面図であり、アンカープレート１の裏面に溶着により突設された突出管４中に背面シース２の一部が摺動自在に嵌挿されている。
また、同突出管４内壁面には環状溝５が嵌設され、同環状溝５に可撓性Ｏリング６が嵌装され、突出管４内部と背面シース２表面とは水密構造で封止されている。
したがって、引張鋼線３を緊張してアンカーヘッド１１側へ伸長させた場合に背面シース２が突出管４内に水密性を保ちながら摺動して進入するため、引張鋼線３及びプラスチックシース９が撓んでしまうことが回避され、かつ止水が完全に確保できる。また、防錆油１５が周囲のグラウト１６側へ漏出することが防止され、防錆油の充填量管理・メンテナンスが容易ないし不要となる。
【００１２】
また、本発明における引張鋼線３としてはＰＣ鋼線が好ましく、またプラスチックシース９としては、耐久性が高く、気密性に優れた高密度ポリエチレンが好ましい。
可撓性Ｏリング６としては、耐水性でゴム様の弾性を備えた可塑性の材料、特にシリコンゴム製のものが好ましく、そして可撓性Ｏリング６は複数個を間隔を置いて設置することが完全止水の面から好ましい。
【００１３】
図５は本発明の第１実施例の要部（３）の止水構造を示す断面図であり、グラウンドアンカー孔中における引張鋼線のプラスチックシース部と無シース部との境界付近の止水構造を示している。
まず引張鋼線のプラスチックシース９の後部に無シース部の引張鋼線３の挿通孔を蓋部に有する有蓋筒状のプラスチックシース端部用キャップ２０を冠着し、また同キャップ２０の蓋部表面２０ａに円盤状止水ゴム盤２１を引張鋼線３を挿通させて積層し、さらに前記円盤状止水ゴム盤２１と同形状の剛性の押さえ盤２２を引張鋼線３を挿通させて積層し、さらにまたその剛性の押さえ盤２２の表面に引張鋼線挿通孔を蓋部に有する有蓋筒状の結束用キャップ２３を積層・被装する。
そして、有蓋筒状のプラスチックシース端部用キャップ２０と結束用キャップ２３は螺合によって圧接結合されるようになし、そしてまた結束用キャップ２３と有蓋筒状のプラスチックシース端部用キャップ２０の露出部及びプラスチックシース９の端部露出部を熱収縮性樹脂膜で覆い加熱して熱収縮させ、熱収縮被膜２４を形成している。
よって、プラスチックシース９と有蓋筒状のプラスチックシース端部用キャップ２０と結束用キャップ２３とは熱収縮被膜２４により、分離されないように一体化されている。
【００１４】
以上の第１実施例の発明によれば、次に示すような効果が得られる。
グラウンドアンカー施工時において、引張鋼線を緊張してアンカーヘッド側へ伸長させた場合に、背面シースが突出管内に水密性を保ちながら摺動して進入するため、引張鋼線及びプラスチックシース部が撓んでしまうことが回避され、かつ止水が完全に確保できる。そして、該止水構造の製作は単に突出管内壁面に環状溝を削成し、それにＯリングを嵌装するだけでよいため、また該止水構造の部品構成は簡単なため、製作コストも低い。
そして、引張鋼線のプラスチックシース部と無シース部との境界付近の止水も完全に確保できるため、グラウンドアンカー全体が優れた止水構造のものとなる。
【実施例２】
【００１５】
図２は本発明の第２実施例のグラウンドアンカーの略全体の構造を示す断面図、図４はその要部（２）の止水構造を示す断面図である。
グラウンドアンカーの全体構成は図２に示すごとく、地盤Ｇに穿孔７が穿設され、また地表近くに受圧板８が載置され、受圧板８には穿孔７に合わせて貫通孔８１が設けられている。
そして、穿孔７、貫通孔８１中には、引張鋼線３が挿設され、途中プラスチックシース９部と無シース部の境界付近には止水構造部１０が形成され、プラスチックシース９の途中にはスペーサ１７が周設され、また、アンカープレート１側にはアンカーヘッド１１、ナット１２、クサビ１３を囲うようにして保護キャップ１４がアンカープレート１に取り付けられている。
また、保護キャップ１４中及び蛇腹管背面シース１８中には防錆油１５が充填されており、穿孔７及びアンカープレート１の貫通孔８１にはグラウト１６が充填されている。
図４において、１はアンカープレート、１８は合成ゴム製の蛇腹管背面シース、３は引張鋼線、１９は貫通孔、５０は環状溝、６０は可撓性Ｏリングである。    
【００１６】
図４は本発明の第２実施例の要部（２）の止水構造を示す断面図であり、
アンカープレート１の貫通孔１９の環状内周面には環状溝５０が設けられ、同環状溝５０にシリコンゴム製の可撓性Ｏリング６０を嵌装すると共に、同環状溝５０に伸縮性蛇腹管よりなる蛇腹管背面シース１８の後部を摺動させて嵌挿する。
一方、蛇腹管背面シース１８の前部はプラスチックシース９の後部に密着せしめて、アンカープレート１とプラスチックシース９とを水密性を確保して伸縮自在に連結する。
したがって、引張鋼線３を緊張してアンカーヘッド１１側へ伸長させた場合に蛇腹管背面シース１８は水密性を保ちながら収縮するだけであるため、引張鋼線３及びプラスチックシース９が撓んでしまうことが回避され、かつ止水が完全に確保できる。
なお、引張鋼線３、プラスチックシース９、可撓性Ｏリング６０等は、第１実施例で用いられるものと同様のものが好ましく用いられる。
【００１７】
以上の第２実施例によれば、グラウンドアンカー施工時において、引張鋼線を緊張してアンカーヘッド側へ伸長させた場合に、蛇腹状背面シースが水密性を保ちながら収縮するため、引張鋼線及びプラスチックシースが撓んでしまうことが回避され、かつ止水が完全に確保できる。そして、該止水構造の製作はアンカープレートの貫通孔の内周面に環状溝を削成し、それにＯリングを嵌装するだけでよいため、製作コストも低い。
【図面の簡単な説明】
【００１８】
【図１】本発明の第１実施例のグラウンドアンカーの略全体の構造を示す断面図
【図２】本発明の第２実施例のグラウンドアンカーの略全体の構造を示す断面図
【図３】本発明の第１実施例の要部（１）の止水構造を示す断面図
【図４】本発明の第２実施例の要部（２）の止水構造を示す断面図
【図５】本発明の第１実施例の要部（３）の止水構造を示す断面図
【符号の説明】
【００１９】
１：アンカープレート、
２：背面シース、
３：引張鋼線、
４：突出管、
５、５０：環状溝、
６、６０：可撓性Ｏリング、
７：穿孔、
８：受圧板、
９：プラスチックシース、
１０：止水構造部、
１１：アンカーヘッド、
１２：ナット、
１３：クサビ、
１４：保護キャップ、
１５：防錆油、
１６：グラウト、
１７：スペーサ、
１８：蛇腹管背面シース、
１９：貫通孔、
２０：有蓋筒状のプラスチックシース端部用キャップ、
２０ａ：蓋部表面、
２１：円盤状止水ゴム盤、
２２：剛性の押さえ盤、
２３：結束用キャップ、
２４：熱収縮被膜、
８１：貫通孔、
Ｇ：地盤、
【図１】
2005139792.tif 000003
【図２】
2005139792.tif 000004
【図３】
2005139792.tif 000005
【図４】
2005139792.tif 000006
【図５】
2005139792.tif 000007